(57)【特許請求の範囲】
【請求項１】
縦材と横材と、縦材と横材とを交差部で連結する連結具とを備え、縦材又は横材のいずれか一方の部材は、他方の部材側に長手方向に沿って断面略Ｔ字状の被係合部を有し、連結具は、固定ネジを有し且つ第１連結具と第２連結具とからなり、第１連結具及び第２連結具は、夫々が一方の部材の被係合部に係合する断面略Ｌ字状の係合部と、一方の部材側が開口し且つ他方の部材が挿通する挿通部を有すると共に一方の部材及び他方の部材の長手方向にスライド自在であり、第１連結具と第２連結具とで一方の部材の被係合部を取付ネジで挟着固定してあり、連結具を挿通した固定ネジで他方の部材を一方の部材に押圧固定してあり、連結具の見付寸法は、一方の部材の見付寸法と略同一若しくは小さいことを特徴とする格子。
【発明の詳細な説明】
【技術分野】
【０００１】
本発明は、建物開口部の防犯手段や建物の装飾体などに使用される格子に関するものである。
【背景技術】
【０００２】
特許第２９８３２４１号公報に開示されるもののように、縦材と横材の交差部をクリップ状に挟み込むタイプの連結具で固定することで、縦材と横材の交差する箇所を変更したり、縦材と横材の本数を増減してレイアウトを自由に変更できる格子があった。
【特許文献１】特許第２９８３２４１号公報
【発明の開示】
【発明が解決しようとする課題】
【０００３】
しかしながら、上記の特許第２９８３２４１号公報に開示される連結具を具備する格子を窓前などに取り付けたとき、前述のように連結具がクリップ状をなし、縦材と横材の交差部をそのまま挟み込んで固定する構造であることから、縦材と横材の交差部は、連結具の厚みの分だけ他の箇所よりも見付寸法が大きくなってしまい、このことから、格子の縦横あるいは斜めに連続したデザインが崩れて連結具と縦枠及び横枠との一体感に乏しくなり、建物外観の意匠性を損ねる問題点があった。
本発明は、上記課題を鑑みてなされたものであり、意匠性がよく、レイアウトも容易且つ自在に変更できる格子を提供することにある。
【課題を解決するための手段】
【０００４】
本発明の請求項１記載の発明は、縦材と横材と、縦材と横材とを交差部で連結する連結具とを備え、縦材又は横材のいずれか一方の部材は、他方の部材側に長手方向に沿って断面略Ｔ字状の被係合部を有し、連結具は、固定ネジを有し且つ第１連結具と第２連結具とからなり、第１連結具及び第２連結具は、夫々が一方の部材の被係合部に係合する断面略Ｌ字状の係合部と、一方の部材側が開口し且つ他方の部材が挿通する挿通部を有すると共に一方の部材及び他方の部材の長手方向にスライド自在であり、第１連結具と第２連結具とで一方の部材の被係合部を取付ネジで挟着固定してあり、連結具を挿通した固定ネジで他方の部材を一方の部材に押圧固定してあり、連結具の見付寸法は、一方の部材の見付寸法と略同一若しくは小さいことを特徴とする。
【発明の効果】
【０００５】
請求項１記載の発明によれば、縦材と横材のいずれか一方の部材の長手方向に沿って断面略Ｔ字状なす被係合部が設けてあり、また、連結具は、第１連結具と第２連結具とからなっており、第１連結具と第２連結具は、一方の部材の被係合部に係合する断面略Ｌ字状の係合部を有すると共に、連結具の見付寸法が縦材又は横材と略同一若しくは小さくなるように形成してある。これにより、第１連結具と第２連結具とで被係合部を挟着し且つ係合したときには、連結具によって縦材と横材の交差部が他の部分と比して不自然に張り出したり膨らんだ状態となることがなく、このことから、意匠性の高い格子を得られることになる。また、連結具を挿通する固定ねじにより、挿通部に挿通した縦材又は横材の一方の部材を押し付け、そこで押された一方の部材が、他方の部材を押圧して縦材と横材を連結具により固定すると共に、被係合部が断面略Ｔ字状をなすことで、その被係合部に、第１連結具と第２連結具の夫々に有する断面略Ｌ字状の係合部を挟着係合する連結具が一方の部材を引き寄せる状態となって、一方の部材と他方の部材を固定するので、あらかじめ縦材及び横材にネジ止め用の孔などを加工する必要がない。また、連結具が縦材及び横材の一方の部材の長手方向に沿う被係合部に係合するものであるから、被係合部に複数の連結具を係合できると共に、連結具の挿通部に縦材又は横材をスライド自在であることから、格子を組むときの縦材及び横材の本数を自由に増減できるので、これにより、多彩なレイアウトの格子を形成できる。
【発明を実施するための最良の形態】
【０００６】
以下に、図面に基づいて本実施による格子の実施の形態を説明する。
図１（ａ）（ｂ）は、図３中Ａを拡大して示す本実施による格子の斜視図であり、（ａ）は、正面視したもの、（ｂ）は、背面視したものである。図２（ａ）（ｂ）は、図３（ａ）中Ｂ−Ｂ断面図であり、（ｂ）は、図３（ａ）中Ｃ−Ｃ断面図である。図３（ａ）（ｂ）は、本実施による格子の施工例を示す全体斜視図であり、（ａ）は、本実施によるもの、（ｂ）は、他の実施によるものである。図４（ａ）〜（ｃ）は、夫々本実施による格子の施工手順を示す斜視図である。
【０００７】
本実施による格子は、図３（ａ）を参照すれば、縦材１と横材２と連結具３とから構成するもので、窓Ｗ前に取り付けてあり、連結具３は、縦材１と横材２の交差部を連結するものである。縦材１と横材２は、断面矩形状の長尺な鋳物であり、その長手方向の両端部は夫々屈曲し、建物壁面Ｈとの取付部９となっている。このうちの縦材１には、長手方向に沿って断面略Ｔ字状の被係合部６を有しており、
【０００８】
連結具３は、図２（ａ）（ｂ）のように、上記縦材１と横材２との交差部で、縦材１の被係合部６に挟着固定するものであり、第１連結具３ａと第２連結具３ｂとからなっている。第１連結具３ａと第２連結具３ｂは、図１（ａ）（ｂ）のように、横材２が長手方向にスライド自在に挿通する挿通部５を有する略コ字状をなすもので、挿通部５は、一方側が開放しており、その開放箇所Ｆから挿通部５に挿通する横材２が抜け出し自在となっている。また、第１連結具３ａと第２連結具３ｂは、挿通部５の上下にある上壁部と下壁部の挿通部５の開放Ｆ側に、縦材１の被係合部６と係合する断面略Ｌ字状の係合部４を夫々に有しており、二つの係合部４は、縦材１の被係合部６を挟着したときに、断面略Ｌ字状の係合部４を構成する横片４ａが、断面略Ｔ字状の被係合部６を構成する横片６ａの両側部に夫々引っ掛かる状態で係合する。また、図２（ｂ）のように、被係合部６の横片６ａの見付寸法は、縦材１の見付寸法よりも小さくしてあると共に、係合部４の横片４ａが被係合部６の横片６ａよりも短く形成してあることで、第１連結具３ａと第２連結具３ｂの夫々の係合部４を被係合部６に挟着し且つ係合したときに、係合部４が被係止部６の横片６ａの左右両側に夫々位置しても、連結具３の見付寸法が縦材１より大きくならず、具体的に本実施のものでは、連結具３の見付寸法が縦材１と略同一となるように形成してある。また、第１連結具３ａと第２連結具３ｂは、一方の見込み面に取付ねじ８を挿通して夫々を固定してあり、第１連結具３ａと第２連結具３ｂによる被係合部６との挟着状態を保っている。また、第１連結具３ａと第２連結具３ｂの見付け面にも、固定ねじ７が挿通部５内まで挿通しており、この固定ねじ７は、挿通部５内にスライド自在に挿通する横材２を押し付けることで、横材２が挿通部５の開放側に移動して縦材１を押圧し、連結具３が縦材１を引き寄せる状態となって連結具３で縦材１と横材２を固定する。また、第１連結具３ａと第２連結具３ｂを挟着したときの連結具３の見付寸法は、縦材１又は横材２の見付寸法より小さくてもよく、本実施による格子を一方側若しくは他方側から正面視したときに、連結具３の見付寸法が縦材１や横材２より大きくならなければよい。
【０００９】
以上のように構成する本実施による格子の施工手順の一例について、図４（ａ）〜（ｃ）に基づいて説明する。
まず、図４（ａ）のように、縦材１と横材２を交差させて床面や地面に置き、さらに、第１連結具３ａと第２連結具３ｂを、横材２における縦材１との交差部を挟んだ箇所で夫々を挿通する。次に、図４（ｂ）のように、横材２を挿通部５に挿通した第１連結具３ａと第２連結具３ｂを、縦材１と横材２の交差部まで夫々スライドさせる。そして、図４（ｃ）のように、第１連結具３ａと第２連結具３ｂを縦材１の横材２との交差部で挟着し、第１連結具３ａと第２連結具３ｂの夫々を係合部４と縦材１の被係合部６に挟着して係合するとともに、第１連結具３ａと第２連結具３ｂを取付ねじ８で固定する。さらに、第１連結具３ａと第２連結具３ｂが挟着して形成されたねじ孔に固定ねじ７を挿通部５内まで挿通し、その固定ねじ７の先端部を横材２に押し付けるとともに、その横材２で縦材１を押圧することで連結具３と縦材１及び横材２を、縦材１と横材２の交差部で固定する。以上の手順で組み立てた格子を、図３（ａ）のように、建物壁面Ｈに宛がって窓Ｗ前に配置し、縦材１と横材２の長手方向両端にある取付部９を建物壁面Ｈに固定することで、本実施による格子の取り付けが完了する。尚、上記施工手順では、あらかじめ格子を組み立ててから建物壁面Ｈに取り付けるものについて説明したが、その他、縦材１と横材２をあらかじめ建物壁面Ｈに取り付けた後に連結具３で縦材１と横材２との交差部を固定する手順を経てもよい。
【００１０】
本発明は、上記の実施形態に限るものではなく、横材２のほうに長手方向に断面略Ｔ字状をなす被係合部６を有するものとし、その被係合部６に第１連結具３ａと第２連結具３ｂの夫々の係合部４を挟着し、第１連結具３ａと第２連結具３ｂの挿通部５に縦材１を挿通し且つ固定してもよい。また、図４（ｂ）のように、一本の縦材１に対して上下に間隔をあけた２箇所に２本の横材２を夫々連結具３で固定したものでもよく、縦材１と横材２の本数やレイアウトを自在に変更することができる。挿通部５は、本実施のものでは略コ字状に形成したものについて説明したが、その他、略Ｃ字状に形成してもよく、形材断面の形状に合わせて適宜変更される。
【図面の簡単な説明】
【００１１】
【図１（ａ）（ｂ）】本実施による格子の斜視図であり、（ａ）は、図３中Ａを拡大して正面視したものであり、（ｂ）は、背面視したものである。
【図２（ａ）（ｂ）】（ａ）は、図３（ａ）中Ｂ−Ｂ断面図であり、（ｂ）は、図３（ａ）中Ｃ−Ｃ断面図である。
【図３（ａ）（ｂ）】本実施による格子の施工例を示す全体斜視図であり、（ａ）は、本実施によるもの、（ｂ）は、他の実施によるものである。
【図４（ａ）（ｂ）（ｃ）】（ａ）〜（ｃ）は、本実施による格子の施工手順を示す斜視図である。
【符号の説明】
【００１２】
１  縦材（一方の部材）
２  横材（他方の部材）
３  連結具
３ａ  第１連結具
３ｂ  第２連結具
４  係合部
５  挿通部
６  被係合部
７  固定ねじ
【図１（ａ）（ｂ）】
0005253837.tif 000002
【図２（ａ）（ｂ）】
0005253837.tif 000003
【図３（ａ）（ｂ）】
0005253837.tif 000004
【図４（ａ）（ｂ）（ｃ）】
0005253837.tif 000005